(57)【要約】【課題】この考案は、両手で支持して横断幕となり、又はこれを半折して手旗になるようにし、応援に用いることを目的としたものである。【解決手段】この考案は、方形シートの表裏面を印刷又は書き込みできる無地とし、前記方形シートの両側縁部へ杆体を取付けると共に、指通し部を設けたことを特徴とする応援旗により、目的を達成した。【選択図】図１
0003125162.tif 000002
【実用新案登録請求の範囲】
【請求項１】
方形シートの表裏面を印刷又は書き込みできる無地とし、前記方形シートの両側縁部へ杆体を取付けると共に、指通し部を設けたことを特徴とする応援旗。
【請求項２】
両面又は一面に文字、図形その他の表示を施した表示シートの両側部に杆体を取付けると共に、前記杆体に近接して指孔を設けたことを特徴とする応援旗。
【請求項３】
両面又は一面に文字、図形その他の表示を施した矩形の表示シートの両側部に杆体を取付けると共に、前記杆体に近接して指孔を設け、前記表示シートを半折して小旗としたことを特徴とする応援旗。
【請求項４】
表示シートの裏面に、半折した際の接着用面ファスナーを取付けたことを特徴とする請求項１又は２記載の応援旗。
【請求項５】
指孔は切込み又は円弧形としたことを特徴とする請求項１又は２記載の応援旗。
【請求項６】
半折した表示部へ同一又は別異の文字又は図形を表示したことを特徴とする請求項１又は２記載の応援旗。
【請求項７】
表示シートの表面又は裏面へ同一又は別異の文字、図形又はメッセージを記載したことを特徴とする請求項１又は２記載の応援旗。
【請求項８】
表示シートの表面の一側へ応援対象者の名称などの文字を記載し、他側へ応援対象者特有の図形を描き、裏面は無地として使用者記入欄としたことを特徴とする請求項１又は２記載の応援旗。
【請求項９】
表示シートの一側へ杆体を取付け、前記表示シートの他側へ回転軸を取付け、該回転軸を筒容器内へ回転自在に架設すると共に、前記回転軸を前記表示シートへ巻込む方向へ付勢したことを特徴とする応援旗。
【考案の詳細な説明】
【技術分野】
【０００１】
この考案は、野球、サッカーその他主としてスポーツ関係の応援旗として使用することを目的とした応援旗に関する。
【背景技術】
【０００２】
従来応援旗としては、方形シートの一側に杆体を取付けた手旗方式が普通の形状であった。
【０００３】
また横断幕又は垂れ幕方式も知られている。
【０００４】
また前記横断幕は、矩形シートの表面にメッセージを記載するのが普通の使用方法であり、両側に杆体を取付ける場合もあった。
【特許文献１】実開昭５７−１９９３８５
【特許文献２】実開昭６０−１３５７８３
【特許文献３】実公昭４１−１２３６
【特許文献４】実公平２−４１６６８
【考案の開示】
【考案が解決しようとする課題】
【０００５】
従来使用されている応援旗は、手旗方式又は横断幕方式であって、両者を兼用できない問題点があった。
【０００６】
また手旗方式の場合にも、手旗専用であって、文字、図形の表示にしても画一的であり、応用に乏しい問題点があった。
【０００７】
また手旗方式は手で握る為に杆体の一端がシートから突出しているので、手旗にはよいが、他の目的（例えば横断幕）には使用し得ない問題点もあった（特許文献２）。
【０００８】
また指孔は設けてあるけれども、さりげなく設けるのではなく、指孔を強調しているものもあった（特許文献１）。
【課題を解決するための手段】
【０００９】
この考案は、矩形シートの両側縁部へ杆体を取付けることにより、矩形シートはそのまま横断幕となり、これを半折すれば手旗方式となるなど、自由度を大きくすることができる。
【００１０】
即ちこの考案は、方形シートの表裏面を印刷又は書き込みできる無地とし、前記方形シートの両側縁部へ杆体を取付けると共に、指通し部を設けたことを特徴とする応援旗であり、両面又は一面に文字、図形その他の表示を施した表示シートの両側部に杆体を取付けると共に、前記杆体に近接して指孔を設けたことを特徴とする応援旗である。
【００１１】
また他の考案は、両面又は一面に文字、図形その他の表示を施した矩形の表示シートの両側部に杆体を取付けると共に、前記杆体に近接して指孔を設け、前記表示シートを半折して小旗としたことを特徴とする応援旗であり、表示シートの裏面に、半折した際の接着用面ファスナーを取付けたものであり、指孔は切込み又は円弧形としたものである。
【００１２】
次に、半折した表示部へ同一又は別異の文字又は図形を表示したものであり、表示シートの表面又は裏面へ同一又は別異の文字、図形又はメッセージを記載したものであり、表示シートの表面の一側へ応援対象者の名称などの文字を記載し、他側へ応援対象者特有の図形を描き、裏面は無地として使用者記入欄としたものである。
【００１３】
またこの考案は、表示シートの一側へ杆体を取付け、前記表示シートの他側へ回転軸を取付け、該回転軸を筒容器内へ回転自在に架設すると共に、前記回転軸を前記表示シートへ巻込む方向へ付勢したことを特徴とする応援旗である。
【００１４】
この考案は、原則的には、矩形シートの左右両短縁部に杆体を取付けて、矩形シートの形状を確定すると共に、前記杆体を握り易くする為に指孔を設けたものである。この指孔は指が４本入るか、親指が入ればよい程度の大きさであって、指に無理な力が掛らなければ、形状に制約はない。従って孔に代えて切込みを設けても十分役に立たせることができる。
【００１５】
前記杆体は、例えば直径１０ｍｍ程度の合成樹脂棒（又は管）であって、前記表示シートを拡げた場合に変形しない程度の剛性があることが好ましいが、要はシートを横断幕又は旗として使用する際に、表示シートの外形をほぼ確保すれば目的を達成するものであって、多少撓んだり変形しても差支えない。また杆体に補助杆を継ぐことができるようにすれば、手旗方式にすることができる。
【００１６】
この考案の表示シートは、印刷又は手描きに耐え、通常の風雨に耐える程度の強靭性があることが好ましい。例えば野球の応援中に雨が降っても、変形したり、印刷が薄れたりしない程度をいう。また好ましくは、数個同一状態で使用できることが好ましいが、時には一回限りの用途もあり得るので、強度上特定はない。
【００１７】
材質としては、合成樹脂フィルムの積層シートが使用されるが、用途によっては、１枚のフィルムでも使用に耐え得れば、この考案のシートとすることができる。
【００１８】
表示面に印刷する場合には、例えば不透明ポリプロピレンフィルムの表裏両面に塩化ビニールフィルムをラミネートし、該塩化ビニールフィルムに所定の印刷を施し、その印刷面にポリエチレンフィルムをラミネートする３層又は４層フィルムによる表示シートとすれば、強靭な応援旗ができる。
【００１９】
前記フィルムの材質は一例であり、現に使用している紙、フィルムその他何れも使用することができる。
【考案の効果】
【００２０】
この考案によれば、横断幕から手旗まで自由に変形して使用し得ると共に、印刷、手描きその他自由であり、使用者の個性を表示することもできる効果がある。
【００２１】
また使用場所、時に応じて、使用者がその形態（横断幕、垂れ幕、手旗、覆シートなど）に使用し得る効果があり、かつ使用目的に応じて形態を保つことができる効果がある。
【考案を実施するための最良の形態】
【００２２】
この考案は、長矩形の表示シートの左右短縁部へ、杆体を夫々固定する。この固定は、左右短縁部へ管状部を設けて、その管状部へ杆体を挿入して接着（熱接着）固定する。前記杆体取付け部に近接して指孔を夫々設ける。この指孔は、３本又は４本の指を入れて、杆体を握ることができるようにするもので、その大きさは特定はないが、容易に入ればよいので、スリットでもよい。
【００２３】
前記表示シートの表面及び裏面には、夫々使用目的に対応する図形、文字などを記載するが、使用者の記入欄を設けることもある。前記文字、図形は、横断幕としての利用及び手旗としての利用を念頭において対処する。
【００２４】
前記表示シートの材質に特例はないが、印刷又は記載が自由にできると共に、雨などにより消えまたは薄れないことが肝要である。
【００２５】
また手旗の場合には激しく振る場合もあるので、破れない程度の強靭性も必要である。
【実施例１】
【００２６】
この考案の実施例を図１に基づいて説明すれば、合成樹脂フィルム１の表面１ａに図形２と文字３を印刷して、その上面へポリエチレンフィルムをラミネートし、裏面１ｂに文字８を印刷して、その表面にポリエチレンフィルムをラミネートして表示シート５を作り、表示シート５の左右短縁部へ合成樹脂棒（杆体）４、４を固定し、杆体４、４に近接した表示シート５に指孔６、６を設けてこの考案の応援旗７を構成した。前記表示シート５と杆体４、４との固定は例えば熱溶着とする。
【００２７】
前記図形は、例えば応援対象の団体マークを印刷し、文字は団体を示す文字を印刷し、裏面文字は応援文字を簡潔に記載する。図中９は手、１０は補助杆である。
【００２８】
また表示シート５を半折し、杆体４、４をまとめて握れば、手旗７ａとなる。
【実施例２】
【００２９】
この考案の他の実施例を図２に基づいて説明すると、合成樹脂フィルム１の表面１ａの左右に異なる図形２ａ、２ｂを画き、裏面１ｂは無地（図２（ｄ））とする。
【００３０】
この場合に、表示シート５を半折すると、一方に図形２ａが表われ、他方に図形２ｂが表われる手旗７ａとなり、応援旗７を構成した。図中４、４は杆体、６、６は指孔である。
【００３１】
前記応援旗７の裏面には、これを使用する者が、適宜のメッセージ１１を書くことができる。前記図形の一方を日の丸とすれば、国際大会に際し、日本の応援に使用できる。
【実施例３】
【００３２】
この考案の他の実施例を図３について説明すれば、合成樹脂フィルム１の表面１ａの中央部の左右に、異なる文字３ａ、３ｂを印刷し、表示シート５を半折した場合（手旗とした場合）に夫々の面に文字３ａ、３ｂが夫々表われるようにしたものである。図中４、４は杆体、６、６は指孔、１０は補助杆である。
【００３３】
前記補助杆１０は、杆体４、４へ接続することができるので、これを長くし（例えば継管で１ｍ位）高く揚げることもできる。
【実施例４】
【００３４】
この考案の他の実施例を図４について説明すると、表示シート５の四隅に、夫々面ファスナー１２、１２を固定したものである。この場合に、表示シート５を半折し、四隅の面ファスナー１２、１２を重ねると、半折部を一体化した手旗７ａができる。図中４、４は杆体、６、６は指孔である。
【００３５】
前記において、面ファスナー１２に近接している杆体４に欠円状の止具１３を回転可能に嵌装しておけば、表示シート５の半折時に止具１３を矢示１４のように回転し、表示シートの接着部を掛止することができる（図４（ｂ））。
【００３６】
前記実施例において、指孔６、６の代りに、切込み１５を設けても、指を入れる孔となり、目的を十分達成することができる。
【実施例５】
【００３７】
この考案の他の実施例を図５に基づいて説明すると、表示シート５の左右耳部（杆体固定部）１６へ、紐１７の中央部を固定する。
【００３８】
このようにすれば、表示シート５を巻き込んだ巻物１９を、前記紐１７によって巻き込まれた表示シートの外側を縛り、携帯容易な形状とすることができる。
【００３９】
また前記巻き込み状態として細長い袋１８に入れても、容易に携帯することができる。
【実施例６】
【００４０】
この考案の他の実施例を図６に基づいて説明すると、表示シート５一側に杆体４を取付けると共に、他側に回転軸２０を取付ける。前記回転軸２０は、筒容器２１の中心部へ回転自在に架設され、前記回転軸２０の一端に渦巻スプリング２１の内端を固定し、渦巻スプリング２１の外端を筒容器２５の内壁へ固着し、この考案の応援旗２６を構成した。従って、渦巻スプリング２１は回転軸を表示シートの巻込み方向へ付勢してある。図中６は指孔、２２は筒容器２５に設けたスリット、２３はスプリング筒である。
【００４１】
前記実施例において、杆体４を矢示２４の方向へ引張れば、表示シート５は渦巻きスプリング２１に抗して巻き戻される。そこで杆体４を放すと、表示シート５は渦巻スプリング２１の巻き込み力によって矢示２７の方向へ巻き込まれる。そこで表示シート５は筒容器２５内へ収容される。
【図面の簡単な説明】
【００４２】
【図１】（ａ）この考案の横断幕の実施例の表面側の斜視図、（ｂ）同じく裏面側の斜視図、（ｃ）同じく手旗の実施例の斜視図、（ｄ）同じく補助杆を接続した実施例の斜視図。
【図２】（ａ）同じく他の実施例の表面図、（ｂ）同じく手旗の一面の図、（ｃ）同じく手旗の他面の図、（ｄ）同じく裏面図。
【図３】（ａ）他の実施例の斜視図、（ｂ）同じく手旗の斜視図、（ｃ）同じく補助杆を接続した実施例の斜視図。
【図４】（ａ）同じく半接時の固定の実施例の裏面図、（ｂ）同じく一部拡大断面図、（ｃ）同じく他部の拡大断面図、（ｄ）同じく指孔の他の実施例の一部を省略した図。
【図５】（ａ）同じく縛着紐をつけた実施例の正面図、（ｂ）同じく巻き込んだ状態の斜視図、（ｃ）同じく袋入りとした状態の斜視図。
【図６】（ａ）同じく他の実施例の斜視図、（ｂ）同じくスプリング筒の断面拡大図。
【符号の説明】
【００４３】
１  合成樹脂フィルム
２  図形
３、８  文字
４  杆体
５  表示シート
６  指孔
７  応援旗
１０  補助杆
１１  メッセージ
【図１】
0003125162.tif 000003
【図２】
0003125162.tif 000004
【図３】
0003125162.tif 000005
【図４】
0003125162.tif 000006
【図５】
0003125162.tif 000007
【図６】
0003125162.tif 000008